(57)【要約】【課題】各色光用の反射型液晶パネルからの各色光を位置合わせする。【解決手段】ベース台１１に固定した３色合成クロスダイクロイックプリズム４１の各入射面４１ａ〜４１ｃに対向してベース台１１に取り付けられる底面２１ａと、底面２１ａに対して４５°傾斜させてワイヤグリッド偏光子２３が取り付けられる４５°傾斜面２１ｂと、底面２１ａに対して垂設されて反射型液晶パネル２４が取り付けられる垂直面２１ｃとを少なくとも有する各色光用の三角柱状支持部材２１を備え、各色光用の三角柱状支持部材２１のうちで少なくとも２色の色光用（Ｒ光，Ｂ光用）の三角柱状支持部材２１は、垂直面２１ｃに一対の板バネ３０，３１を介して反射型液晶パネル２４を取り付けると共に、一対の板バネ３０，３１を弾性変位させて反射型液晶パネル２４の取り付け位置を二次元面内で調整する位置調整手段２８，２９を垂直面２１ｃに備えた。【選択図】図８
2007171683.tif 000002
【特許請求の範囲】
【請求項１】
Ｒ，Ｇ，Ｂの各色光を各色光用の信号で光変調する各色光用の反射型空間光変調素子と、
入射した各色光の第１偏光成分光を反射（又は透過）させて前記各色光用の反射型空間光変調素子に入射させ、該各色光用の反射型空間光変調素子で光変調した各色光の第２偏光成分光を透過（又は反射）させる各色光用のワイヤグリッド偏光子と、
前記各色光用のワイヤグリッド偏光子を透過（又は反射）した前記各色光の第２偏光成分光を色合成してカラー画像光を出射させる色合成光学系と、
前記色合成光学系からの前記カラー画像光を投射する投射レンズと、を備えた投射型表示装置であって、
前記各色光用のワイヤグリッド偏光子からの前記各色光が入射する前記色合成光学系の各入射面に対向して近接配置され、前記各色光用の反射型空間光変調素子を位置調整機構部を介して取り付ける第１面と、前記各色光用の反射型空間光変調素子及び前記色合成光学系の各入射面に対してそれぞれ４５°の傾斜角を持って対向された前記各色光用のワイヤグリッド偏光子を取り付ける第２面と、を少なくとも有する各色光用の支持部材を備えたことを特徴とする投射型表示装置。
【請求項２】
前記各色光用の支持部材を、水平面内で位置調整する位置調整手段及びあおり角を調整するあおり角調整手段を備えたことを特徴とする請求項１記載の投射型表示装置。
【発明の詳細な説明】
【技術分野】
【０００１】
本発明は、ＲＧＢ３原色光に対応して各色光ごとに用意した３つの反射型空間光変調素子に表示された各色の変調画像光を光学的に合成して、カラー画像光を投射レンズによりスクリーン上に拡大して表示する投射型表示装置において、Ｒ光，Ｇ光，Ｂ光にそれぞれ対応した各色光用の反射型空間光変調素子から出射される各色光を位置合わせすることができる投射型表示装置に関するものである。
【背景技術】
【０００２】
最近、映像情報の多様化・高画質化が進み、ハイビジョン放送規格やコンピータ・グラフィクスのＳＶＧＡ規格に代表される高品質画像データが増加し、これに伴って高品質画像データを拡大表示するために投射型表示装置が盛んに利用されている。
【０００３】
この種の投射型表示装置のうちで３板式の投射型表示装置では、ＲＧＢ３原色光と対応して各色光ごとに用意した３つの空間光変調素子に表示された各色の変調画像光を光学的に合成して、カラー画像光を投射レンズによりスクリーン上に拡大して表示している。
【０００４】
この際、投射型表示装置は、これに適用される空間光変調素子の種類によって、透過型空間光変調素子を適用したもの、反射型空間光変調素子を適用したもの、ＤＭＤ（Ｄｉｇｉｔａｌ  Ｍｉｒｒｏｒ  Ｄｅｖｉｃｅ）を適用したものがある。
【０００５】
透過型空間光変調素子及びＤＭＤは、光学構成が比較的簡単にできるために小型化が容易であるが高解像度化に難がある。一方、反射型空間光変調素子は高解像度化に有利であるが光学構成が複雑となるために小型化に難がある。
【０００６】
とくに、反射型空間光変調素子を適用した投射型表示装置は、反射型空間光変調素子に照射される入射光と当該反射型空間光変調素子で光変調・反射された反射光とを分離するために偏光ビームスプリッタを必要とする。高コントラストを実現するためには一つの反射型空間光変調素子に対して、通常２つ以上の偏光ビームスプリッタを作用させるために、これが投射型表示装置の光学構成を複雑にしていたが、最近、複数の偏光ビームスプリッタを至近距離に配置してセラミックスベース等に接着固定し、光学系を構成することにより小型化を達成している。
【０００７】
この投射型表示装置において、ＲＧＢ３原色光に対応した３つの反射型空間光変調素子に表示された各色の変調画像光を光学的に合成する際、各色光用の反射型空間光変調素子の光学的画像合成手段に対する位置がずれれば、スクリーン上に拡大して表示したカラー画像光のレジストレーションがずれて画質を損なうことになる。
【０００８】
一方、近年高精細化によって表示画素数が多い反射型空間光変調素子が使われるようになり、一つの画素の大きさが１０μｍを切るようになってきており、反射型空間光変調素子中の一つの画素の大きさが数十μｍと大きい場合には数μｍの取り付け誤差は問題とならないが、一つの画素の大きさが１０μｍ以下になると、数μｍの取り付け誤差はレジズレとなって色ズレが発生してしまう。
【０００９】
そこで、本出願人は、反射型空間光変調素子の脱着作業を行ってもレジストレーション調整の精度が維持でき、且つ、反射型空間光変調素子を上下に配置したセラミックスベース材にしっかりと固定できる光学デバイスの製造方法及び投射表示装置を先に提案した（例えば、特許文献１参照）。
【特許文献１】特開２００４−３２５９１７号公報
【００１０】
従来の投射表示装置は上記した特許文献１（特開２００４−３２５９１７号公報）に開示されており、ここでの図示を省略するものの、ＲＧＢ３原色光と対応して各色光ごとに用意した３つの反射型空間光変調素子と、複数の偏光ビームスプリッタと、複数のカラー偏光フィルタとを上下方向からセラミックスベース材に固定し、且つ、上下のセラミックスベース材に複数の素子固定金具をセラミックス接着剤により接着して固定すると共に、反射型空間光変調素子を固定している素子パッケージをさらにレジストレーション調整を実施しながら複数の素子固定金具に半田付けにより固定している。こうすることにより、反射型空間光変調素子の脱着作業を行ってもセラミックスベース材及び素子パッケージに引き剥がし応力や熱の影響がおよばないのでレジストレーション調整の精度が維持でき、且つ、反射型空間光変調素子を上下に配置したセラミックスベース材にしっかりと固定できる。
【発明の開示】
【発明が解決しようとする課題】
【００１１】
ところで、上記した従来の投射型表示装置では、上述したように、反射型空間光変調素子を固定している素子パッケージをレジストレーション調整を実施しながら複数の素子固定金具に半田付けにより固定しているので、レジストレーション調整を再調整するような場合に一度半田付けを溶かしてから再度半田付けを行わなければならないために工数がかかってしまう。
【００１２】
また、反射型空間光変調素子に照射される入射光と当該反射型空間光変調素子で光変調・反射された反射光とを分離するために設けた複数の偏光ビームスプリッタは、一般的に熱応力によるシェーディングを発生させないために透明なガラスの中に鉛が混入されているために、この鉛を使用することが地球環境の面から問題となっている。
【００１３】
そこで、素子固定金具に半田付けすることなく各色光用の反射型空間光変調素子に対してレジストレーション調整を容易に行うことができ、且つ、地球環境問題に配慮して鉛入りの偏光ビームスプリッタを用いずに、高いコントラス性能が得られる投射型表示装置が望まれている。
【課題を解決するための手段】
【００１４】
本発明は上記課題に鑑みてなされたものであり、請求項１記載の発明は、Ｒ，Ｇ，Ｂの各色光を各色光用の信号で光変調する各色光用の反射型空間光変調素子と、
入射した各色光の第１偏光成分光を反射（又は透過）させて前記各色光用の反射型空間光変調素子に入射させ、該各色光用の反射型空間光変調素子で光変調した各色光の第２偏光成分光を透過（又は反射）させる各色光用のワイヤグリッド偏光子と、
前記各色光用のワイヤグリッド偏光子を透過（又は反射）した前記各色光の第２偏光成分光を色合成してカラー画像光を出射させる色合成光学系と、
前記色合成光学系からの前記カラー画像光を投射する投射レンズと、を備えた投射型表示装置であって、
前記各色光用のワイヤグリッド偏光子からの前記各色光が入射する前記色合成光学系の各入射面に対向して近接配置され、前記各色光用の反射型空間光変調素子を位置調整機構部を介して取り付ける第１面と、前記各色光用の反射型空間光変調素子及び前記色合成光学系の各入射面に対してそれぞれ４５°の傾斜角を持って対向された前記各色光用のワイヤグリッド偏光子を取り付ける第２面と、を少なくとも有する各色光用の支持部材を備えたことを特徴とする投射型表示装置である。
【００１５】
更に、請求項２記載の発明は、前記各色光用の支持部材を、水平面内で位置調整する位置調整手段及びあおり角を調整するあおり角調整手段を備えたことを特徴とする請求項１記載の投射型表示装置である。
【発明の効果】
【００１６】
請求項１記載の投射型表示装置によると、とくに、ＲＧＢ３原色光に対応した３つの反射型空間光変調素子を用意し、且つ、各色光用のワイヤグリッド偏光子からの各色光が入射する色合成光学系の各入射面に対向して各色光用の支持部材を近接配置した時に、各色光用の支持部材は、各色光用の反射型空間光変調素子を位置調整機構部を介して取り付ける第１面と、各色光用の反射型空間光変調素子及び色合成光学系の各入射面に対してそれぞれ４５°の傾斜角を持って対向された各色光用のワイヤグリッド偏光子を取り付ける第２面と、を少なくとも有しているので、各色光用の支持部材の第１面内で取り付け位置を調整した各色光用の反射型空間光変調素子からの各色光を色合成光学系で色合成した時にレジズレのないカラー画像光が得られる。
【００１７】
また、ＲＧＢ３原色光に対応した３つの反射型空間光変調素子に照射される入射光と当該反射型空間光変調素子で光変調・反射された反射光とを分離する偏光分離手段として、従来と異なって地球環境問題上で有害である鉛が使用されていないワイヤグリッド偏光子を用いているので、公害問題の発生がなくなると共に、色合成したカラー画像光は高いコントラス性能が得られる。
【００１８】
更に、請求項２記載の投射型表示装置によると、とくに、請求項１記載の投射型表示装置において、各色光用の支持部材を、水平面内で位置調整する位置調整手段及びあおり角を調整するあおり角調整手段を備えているため、レジストレーシヨン調整の精度をより一層向上させることができると共に、各色光用の反射型空間光変調素子へのおあり角を調整できる。
【発明を実施するための最良の形態】
【００１９】
以下に本発明に係る投射型表示装置の一実施例について図１〜図１３を参照して実施例１，実施例２の順に詳細に説明する。
【実施例１】
【００２０】
図１は本発明に係る実施例１の投射型表示装置の全体構成を示した斜視図、
図２は本発明に係る実施例１の投射型表示装置において、ベース台を取り除いた状態で全体構成を示した平面図、
図３は本発明に係る実施例１の投射型表示装置において、ベース台上に設置したＧ光用反射型液晶パネル組立体を示した斜視図である。
【００２１】
図１に示した如く、本発明に係る実施例１の投射型表示装置１０Ａは、後述するようにＲ光，Ｇ光，Ｂ光にそれぞれ対応した空間光変調素子２４として光を反射する反射型液晶パネルを用いて構成されており、二点鎖線で図示したベース台１１を挟んで上下に分かれた２層構成の光学系を有している。
【００２２】
この際、二点鎖線で図示したベース台１１の下方には、光源１２からの白色光をＲ光，Ｇ光，Ｂ光に色分解してＲ光，Ｇ光，Ｂ光を、ベース台１１の上方に各色光と対応して設けた３つの反射型空間光変調素子（以下、反射型液晶パネルと記す）２４に対してそれぞれ照明するための照明光学系が設けられている。一方、二点鎖線で図示したベース台１１の上方には、各色光用の反射型液晶パネル２４で光変調・反射された各色の変調画像光を色合成してカラー画像光をスクリーン上に投射するための投射光学系が設けられている。
【００２３】
まず、二点鎖線で図示したベース台１１の下面１１ａの下方に設けた照明光学系について説明すると、光源１２はメタルハライドランプ，キセノンランプ，ハロゲンランプなどを用いてＲ光，Ｇ光，Ｂ光を含んだ白色光を出射しており、この光源１２から出射した白色光が放物面鏡１３で反射されることにより、略々平行光となって放物面鏡１３の前面に設けた偏光変換プリズムアレイ１４Ａに入射される。
【００２４】
上記した偏光変換プリズムアレイ１４Ａは、偏光分離プリズムアレイと、λ／２位相差板とを有して、全体として平板状に構成されており、ここに入射した白色光に対して透過後に所定の一方向の偏光光となされており、この偏光変換プリズムアレイ１４Ａによって得られる所定の一方向の偏光光は例えばＳ偏光光（第１偏光成分光）である。
【００２５】
この後、偏光変換プリズムアレイ１４Ａを透過したＳ偏光光の白色光は、第１ダイクロイックミラー１５に入射する。この第１ダイクロイックミラー１５は、３原色光のうちの２色の成分光を透過させ、残りを反射しており、この実施例１の形態においては、例えばＲ光及びＧ光を透過させ、Ｂ光を反射している。
【００２６】
また、上記した第１ダイクロイックミラー１５を透過したＲ光及びＧ光は、そのまま直進して第２ダイクロイックミラー１６に入射する。この第２ダイクロイックミラー１６は、例えばＲ光を透過させ、Ｇ光を反射している。
【００２７】
また、上記した第２ダイクロイックミラー１６を透過したＲ光は、そのまま直進して４５°傾斜した立ち上げミラー１７に入射し、この立ち上げミラー１７によりＲ光の光路が上方に向かって９０°方向転換されて、ベース台１１の上方に設置されたＲ光用反射型液晶パネル組立体２０Ｒに入射する。
【００２８】
一方、第２ダイクロイックミラー１６により反射されたＧ光は、光路を９０°変換された後に４５°傾斜した立ち上げミラー１７に入射し、この立ち上げミラー１７によりＧ光の光路が上方に向かって９０°方向転換されて、ベース台１１の上方に設置されたＧ光用反射型液晶パネル組立体２０Ｇに入射する。
【００２９】
更に、第１ダイクロイックミラー１５により反射されたＢ光は、光路を９０°変換された後にミラー１８で更に光路を９０°変換されてリレーレンズ１９を透過して、４５°傾斜した立ち上げミラー１７に入射し、この立ち上げミラー１７によりＢ光の光路が上方に向かって９０°方向転換されて、ベース台１１の上方に設置されたＢ光用反射型液晶パネル組立体２０Ｂに入射する。
【００３０】
この際、Ｂ光の光路中において、ミラー１８と立ち上げミラー１７との間にリレーレンズ１９を設けた理由は、リレーレンズ１９を透過したＢ光が立ち上げミラー１７に入射するまでの光路長を、第１ダイクロイックミラー１５を透過したＧ光が第２ダイクロイックミラー１６を介して立ち上げミラー１７に入射するまでの光路長及び第２ダイクロイックミラー１６を透過したＲ光が立ち上げミラー１７に入射するまでの光路長と略等しく設定するためである。
【００３１】
上記から第１，第２ダイクロイックミラー１５，１６が光源１２からの白色光をＲ光，Ｇ光，Ｂ光に色分解する色分解光学系を構成しており、且つ、光源１２から各色光用の立ち上げミラー１７までが、色分解されたＲ光，Ｇ光，Ｂ光を各色光用の反射型液晶パネル（反射型空間光変調素子）２４にそれぞれ照明するための各色光照明手段となっている。
【００３２】
尚、この実施例１では、光源１２からの白色光を色分解光学系１５，１６によりＲ光，Ｇ光，Ｂ光に色分解させた例を用いて説明しているが、これに限ることなく、例えば、Ｒ光，Ｇ光，Ｂ光をそれぞれ出射するＲ光用，Ｇ光用，Ｂ光用の各ＬＥＤ光源を用いれば、色分解光学系１５，１６を設ける必要がなくなるので、各色光照明手段となる各色光用のＬＥＤ光源からそれぞれ出射したＲ光，Ｇ光，Ｂ光の各一方向の偏光成分を、各色光に対応した各色光用の反射型液晶パネル２４にそれぞれ直接照明しても良いものである。また、上記した各色光照明手段となる各色光用のＬＥＤ光源を、後述する実施例２に対しても適用可能である。
【００３３】
次に、二点鎖線で図示したベース台１１の上面１１ｂ上に設けた投射光学系について説明すると、Ｒ光用反射型液晶パネル組立体２０Ｒ及びＧ光用反射型液晶パネル組立体２０Ｇ並びにＢ光用反射型液晶パネル組立体２０Ｂと、直方体形状に形成された色合成光学系となる３色合成クロスダイクロイックプリズム４１と、投射レンズ４２とで構成されている。
【００３４】
そして、３色合成クロスダイクロイックプリズム４１はベース台１１の上面１１ｂに接着剤を用いて固定され、且つ、３色合成クロスダイクロイックプリズム４１の各入射面４１ａ〜４１ｃに対向して各色光用の反射型液晶パネル組立体２０Ｒ，２０Ｇ，２０Ｂが近接配置されていると共に、３色合成クロスダイクロイックプリズム４１の出射面４１ｄ側に投射レンズ４２が配置され、ベース台１１を除いた平面状態は図２に示した如くになる。
【００３５】
図１に戻り、Ｒ光用反射型液晶パネル組立体２０Ｒ及びＧ光用反射型液晶パネル組立体２０Ｇ並びにＢ光用反射型液晶パネル組立体２０Ｂのそれぞれは全て同一に構成されており、二点鎖線で示したように内部を中空状に形成した三角柱状支持部材２１（１箇所のみ図示）が各色光ごとに用意されている。
【００３６】
そして、各色光用の反射型液晶パネル組立体２０Ｒ，２０Ｇ，２０Ｂの基台となる各色光用の三角柱状支持部材２１では、ベース台１１上に取り付けられる底面に各色光照明手段からの各色の照明光をそれぞれ入射するフィルードレンズ２２が固着され、且つ、底面に対して４５°傾斜した４５°傾斜面に偏光分離手段となる板状のワイヤグリッド偏光子２３が取り付けられ、且つ、底面に対して垂直な垂直面に各色光用の反射型液晶パネル２４が取り付けられていると共に、三角柱状支持部材２１の底面，４５°傾斜面，垂直面で囲まれた内部空間を左右の側面で塵埃などに対して密閉させた状態で、各色光用のワイヤグリッド偏光子２３側を３色合成クロスダイクロイックプリズム４１の各入射面４１ａ〜４１ｃに対してそれぞれ隙間を隔てて対向させている。
【００３７】
従って、各色光用のワイヤグリッド偏光子２３は、各色光用の反射型液晶パネル２４及び３色合成クロスダイクロイックプリズム４１の各入射面４１ａ〜４１ｃに対して４５°の傾斜角を持ってそれぞれ対向している。
【００３８】
ここで、図３に示した如く、ベース台１１には、３色合成クロスダイクロイックプリズム４１の各入射面４１ａ〜４１ｃ側に各色光照明手段からの各色の照明光がそれぞれ入射するための矩形孔１１ｃ（１箇所のみ図示）が３箇所貫通して穿設されており、３箇所の矩形孔１１ｃの上にＲ光用反射型液晶パネル組立体２０Ｒ（図示せず）及びＧ光用反射型液晶パネル組立体２０Ｇ並びにＢ光用反射型液晶パネル組立体２０Ｂ（図示せず）が取り付けられている。
【００３９】
例えば、図３中に図示したＧ光用反射型液晶パネル組立体２０Ｇについて説明すると、
三角柱状支持部材２１の底面２１ａに固着されたフィルードレンズ２２を透過したＧ色の照明光はＳ偏光光（第１偏光成分光）であり、このＧ色の照明光のＳ偏光光は、三角柱状支持部材２１の４５°傾斜面２１ｂに取り付けられたワイヤグリッド偏光子２３に反射されて９０°光路を変換された後に三角柱状支持部材２１の垂直面２１ｃに取り付けられたＧ光用の反射型液晶パネル２４に入射して、Ｇ光用の反射型液晶パネル２４を照明する。
【００４０】
この際、上記したフィルードレンズ２２は、各色光の周辺の明るさの向上と明瞭な視野の確保を使用目的としている。
【００４１】
また、上記したワイヤグリッド偏光子２３は、従来技術で説明したような偏光ビームスプリッタと同じ偏光分離機能を備えているものの、地球環境問題上で有害である鉛は使用されていなので公害問題の発生がない。また、上記したワイヤグリッド偏光子２３は、光学ガラス板上に、アルミニウムなどの金属線を所定のピッチで規則正しくストライプ状に多数本並べて形成したものであり、金属線に垂直な偏光成分（例えば、Ｐ偏光光）をそのまま透過させ、且つ、金属線に平行な偏光成分（例えば、Ｓ偏光光）は反射する機能を有している。このワイヤグリッド偏光子２３を用いると、明るく、色再現性の良好な表示画像光が得られる。また、ワイヤグリッド偏光子２３は、一枚の板状の偏光分離板であるので、軽量である。また、ワイヤグリッド偏光子２３は、光源１２（図１）から発せられる光を吸収しにくいため、複屈折による表示画像光の品質低下を抑えることができる。
【００４２】
そして、Ｇ光用のワイヤグリッド偏光子２３で反射されたＧ色の照明光のＳ偏光光（第１偏光成分光）がＧ光用の反射型液晶パネル２４に入射すると、Ｇ光用の反射型液晶パネル２４内でＧ光の画像信号に応じて光変調された後に反射された光束はＰ偏光光（第２偏光成分光）となって出射され、このＧ光のＰ偏光光がワイヤグリッド偏光子２３を透過して３色合成クロスダイクロイックプリズム４１の入射面４１ｂから入射される。
【００４３】
以下、同様に、Ｒ光用反射型液晶パネル組立体２０Ｒ（図示せず）内のＲ光用の反射型液晶パネル２４からのＲ光のＰ偏光光及びＢ光用反射型液晶パネル組立体２０Ｂ（図示せず）内のＢ光用の反射型液晶パネル２４からのＢ光のＰ偏光光は、３色合成クロスダイクロイックプリズム４１の入射面４１ａ及び入射面４１ｃからそれぞれ入射される。
【００４４】
この後、３色合成クロスダイクロイックプリズム４１の各入射面４１ａ〜４１ｃから入射されたＲ光，Ｇ光，Ｂ光の各変調画像光は、３色合成クロスダイクロイックプリズム４１内に形成した第１，第２ダイクロイック膜４１ｅ，４１ｆによって色合成され、この色合成クロスダイクロイックプリズム４１で得られた色合成画像光が３色合成クロスダイクロイックプリズム４１の出射面４１ｄから出射されて投射レンズ４２で図示しないスクリーン上に投射しているので、これにより高輝度化、高コントラス化が達成でき、実施例１の投射型表示装置１０Ａの品質及び信頼性の向上に寄与できる。
【００４５】
この際、上記した３色合成クロスダイクロイックプリズム４１は、光学ガラスを用いて直方体（立方体も含む）に形成されており、上面から見た時に第１，第２ダイクロイック膜４１ｅ，４１ｆがＸ字状にクロスしており、各色光用の反射型液晶パネル２４からの各色の変調画像光を第１，第２ダイクロイック膜４１ｅ，４１ｆにより色合成可能になっている。
【００４６】
ここで、Ｒ光用反射型液晶パネル組立体２０Ｒ及びＧ光用反射型液晶パネル組立体２０Ｇ並びにＢ光用反射型液晶パネル組立体２０Ｂに対してレジストレーション調整を行う実施例１の構造形態について図４〜図１０を用いて説明する。
【００４７】
図４は本発明に係る実施例１の投射型表示装置において、各色光用の三角柱状支持部材を示した斜視図、
図５は本発明に係る実施例１の投射型表示装置において、各色光用の三角柱状支持部材をベース台上で取り付け位置調整する状態を示した平面図、
図６は本発明に係る実施例１の投射型表示装置において、各色光用の三角柱状支持部材に取り付けた液晶パネルへのあおり角を調整する状態を示した側面図、
図７は本発明に係る実施例１の投射型表示装置において、各色光用の反射型液晶パネルを示した斜視図、
図８は本発明に係る実施例１の投射型表示装置において、各色光用の反射型液晶パネル組立体内の反射型液晶パネルを三角柱状支持部材内で取り付け位置調整する状態を示した正面図、
図９は本発明に係る実施例１の投射型表示装置において、各色光用の反射型液晶パネル組立体をベース台上に取り付けた状態を示した側面図、
図１０は本発明に係る実施例１の投射型表示装置において、Ｒ光用反射型液晶パネル組立体及びＧ光用反射型液晶パネル組立体並びにＢ光用反射型液晶パネル組立体をベース台上に取り付けた状態を示した平面図である。
【００４８】
図４に拡大して示した如く、各色光用の反射型液晶パネル組立体２０Ｒ，２０Ｇ，２０Ｂ（図１，図２）の基台となる各色光用の三角柱状支持部材２１は、アルミ材又は板金材を用いて直角三角柱状に一体的に形成されている。
【００４９】
この三角柱状支持部材２１は、ベース台１１の上面１１ｂに取り付けられ、且つ、フィルードレンズ２２（図１）を取り付けるための透孔２１ａ１が貫通して穿設された底面２１ａと、各色光用の反射型液晶パネル２４からの第２偏光成分の各色光が色合成クロスダイクロイックプリズム４１側に向くように底面２１ａに対して４５°傾斜させてワイヤグリッド偏光子２３（図１）が取り付けられ、且つ、反射型液晶パネル２４（図１）からの各色光を透過させるための透孔２１ｂ１が貫通して穿設された４５°傾斜面２１ｂと、底面２１ａに対して垂直であり、且つ、ここに取り付けた反射型液晶パネル２４（図１）からの各色光を透過させるための透孔２１ｃ１が貫通して穿設された垂直面２１ｃと、閉蓋される左右の側面２１ｄ，２１ｅとに囲まれて直角三角柱状に一体的に形成されている。
【００５０】
また、三角柱状支持部材２１には、左右一対の第１突出片２１ｆ，２１ｇが底面２１ａと連接して左右の側面２１ｄ，２１ｅの各外側に向かってベース台１１に対して平行に突出形成されており、これらの第１突出片２１ｆ，２１ｇに固定用ネジ２５，２５のネジ径より一回り大きな孔（図示せず）が貫通して垂設されていると共に、これらの固定用ネジ２５，２５が螺合するネジ孔１１ｄ，（１１ｄ…図示せず）がベース台１１に穿設されている。
【００５１】
一方、図５に示した如く、ベース台１１上で三角柱状支持部材２１に突出形成した左右一対の第１突出片２１ｆ，２１ｇの周辺に沿って、治具用偏心ピン２６を挿入するための偏心ピン挿入孔１１ｆがそれぞれ合計３箇所づつ貫通して穿設されている。
【００５２】
そして、左右の固定用ネジ２５，２５を緩めて、治具用偏心ピン２６をいずれかの偏心ピン挿入孔１１ｆに挿入して、この偏心ピン挿入孔１１ｆを中心にして治具用偏心ピン２６を回転しながら第１突出片２１ｆ，２１ｇに当接させると、三角柱状支持部材２１がベース台１１上をＸ方向又はＹ方向もしくはＸＹ方向に移動するので、３色合成クロスダイクロイックプリズム４１の各入射面４１ａ〜４１ｃ（図１，図２）に対して三角柱状支持部材２１の取り付け位置をベース台１１上の水平面内で調整することができ、調整後に固定用ネジ２５，２５で三角柱状支持部材２１をベース台１１上にしっかりと固定すれば良い。尚、図５中でＹ方向はこの三角柱状支持部材２１に取り付けた反射型液晶パネル２４（図３）からの光の光軸方向であり、Ｘ方向は上記した光軸に対して直交する方向である。
【００５３】
図４に戻り、三角柱状支持部材２１には、左右一対の第２突出片２１ｈ，（２１ｉ…図５のみ図示）が底面２１ａと連接し、且つ、左右一対の第１突出片２１ｆ，２１ｇと間隔を隔てて左右の側面２１ｄ，２１ｅの各外側に向かってベース台１１に対して平行に突出形成されており、これら左右一対の第２突出片２１ｈ，（２１ｉ）に調整用ネジ２７，（２７）が螺合するネジ孔２１ｈ１，（２１ｉ１…図示せず）が貫通して穿設されていると共に、これらの調整用ネジ２７，（２７）の各先端はベース台１１の上面１１ｂに当接している。
【００５４】
そして、図６に示した如く、三角柱状支持部材２１中で左側面２１ｄ側について説明すると、第１突出片２１ｆを固定する固定用ネジ２５を緩めて、第２突出片２１ｈに螺合した調整用ネジ２７の先端をベース台１１の上面１１ｂに押し当てると、三角柱状支持部材２１の底面２１ａと４５°傾斜面２１ｂとが交差する部位を支点として三角柱状支持部材２１の垂直面２１ｃ側の底面２１ａが上方に持ち上げられてＭ方向に傾くので、上記した調整用ネジ２７が三角柱状支持部材２１に取り付けた反射型液晶パネル２４へのあおり角を調整することができる。勿論、三角柱状支持部材２１中で右側面２１ｅ側も左側面２１ｄ側と同様に角柱状支持部材２１に取り付けた反射型液晶パネル２４へのあおり角を調整することができる。
【００５５】
再び図４に戻り、三角柱状支持部材２１には、左右一対の第３突出片２１ｊ，２１ｋが垂直面２１ｃの上端の左右から４５°傾斜面２１ｂとは反対側に向かってベース台１１に対して平行に突出形成されており、これら左右一対の第３突出片２１ｊ，２１ｋに調整用ネジ２８，２８が螺合するネジ孔２１ｊ１，２１ｋ１が貫通して穿設されていると共に、これらの調整用ネジ２８，２８の各先端は後述するように反射型液晶パネル２４中で反射型液晶パネル本体２４Ａ（図７，図８）の上部左右に当接可能になっている。
【００５６】
また、三角柱状支持部材２１には、左右一対の第４突出片２１ｍ，２１ｎが垂直面２１ｃの左右端から４５°傾斜面２１ｂとは反対側に向かってベース台１１に対して垂直に突出形成されており、これら左右一対の第４突出片２１ｍ，２１ｎに調整用ネジ２９，２９が螺合するネジ孔２１ｍ１，２１ｎ１が貫通して横設されていると共に、これらの調整用ネジ２９，２９の各先端は後述するように液晶パネル本体２４Ａ（図７，図８）の左右の側面に当接可能になっている。
【００５７】
また、三角柱状支持部材２１の垂直面２１ｃには、この外側に各色光用の反射型液晶パネル２４（図１）を支持するための上下一対の板バネ３０，３１が左右一対の第４突出片２１ｍ，２１ｎの各外側面側に左右一対の押さえ板３２，３３を介してそれぞれ４本の固定用ネジ３４により枠組みした状態で固定されている。
【００５８】
ここで、図７に示した如く、上下一対の板バネ３０，３１のうちで上側の板バネ３０は、平坦面３０ａの左右端を下方に向かって略直角に折り曲げて左右の側面３０ｂ，３０ｃが形成され、且つ、左右の側面３０ｂ，３０ｃ間の寸法が反射型液晶パネル２４の横幅よりも大きく設定されているので、左右の側面３０ｂ，３０ｃのコーナー部位は弾性変位可能になっていると共に、各側面３０ｂ，３０ｃの下方に左右一対の第４突出片２１ｍ，２１ｎに取り付けるための取り付け孔３０ｂ１，３０ｃ１がそれぞれ２個づつ形成されている。
【００５９】
一方、上下一対の板バネ３０，３１のうちで下側の板バネ３１は、平坦面３１ａの左右端を上方に向かって略直角に折り曲げて左右の側面３１ｂ，３１ｃが形成され、且つ、左右の側面３１ｂ，３１ｃ間の寸法が反射型液晶パネル２４の横幅よりも大きく設定されているので、左右の側面３１ｂ，３１ｃのコーナー部位は弾性変位可能になっていると共に、各側面３１ｂ，３１ｃの上方に左右一対の第４突出片２１ｍ，２１ｎに取り付けるための取り付け孔３１ｂ１，３１ｃ１がそれぞれ２個づつ形成されている。
【００６０】
従って、上下一対の板バネ３０，３１は上下対称に対向し、上下一対の板バネ３０，３１の内側に反射型液晶パネル２４が取り付け可能になっている。
【００６１】
また、反射型液晶パネル２４は、反射型液晶パネル本体２４Ａとヒートシンク２４Ｂとを重ね合わせて一体的に直方形状に形成されており、且つ、液晶パネル本体２４Ａの裏面からフレキシブル配線基板２４Ｃが上方に向かって延出されている。
【００６２】
そして、上下一対の板バネ３０，３１を上下対称に対向させて、上下一対の板バネ３０，３１の各平坦面３０ａ，３１ａの各内側に反射型液晶パネル２４のうちでヒートシンク２４Ｂの上下の中央部位に突出形成した各段付き面を各２本の固定用ネジ３５を用いて取り付けていると共に、上下一対の板バネ３０，３１の各平坦面３０ａ，３１ａの左右と、ヒートシンク２４Ｂの上下の左右との間には隙間Ｓがそれぞれ形成されているために各平坦面３０ａ，３１ａの左右は弾性変位可能になっている。
【００６３】
更に、上下一対の板バネ３０，３１に反射型液晶パネル２４のうちでヒートシンク２４Ｂを取り付けた状態で、図４に示したように上下一対の板バネ３０，３１を三角柱状支持部材２１に突出形成した左右一対の第４突出片２１ｍ，２１ｎの各外側面側に取り付けると、反射型液晶パネル２４のうちで反射型液晶パネル本体２４Ａは上下一対の板バネ３０，３１よりも前方に突出して三角柱状支持部材２１の垂直面２１ｃに当接することになる。
【００６４】
上記のように、反射型液晶パネル２４を上下一対の板バネ３０，３１を介して三角柱状支持部材２１に突出形成した左右一対の第４突出片２１ｍ，２１ｎの各外側面側に取り付けると図８に示した状態となる。
【００６５】
この図８に示した各色光用の反射型液晶パネル組立体２０Ｒ，２０Ｇ，２０Ｂは、各色光用の反射型液晶パネル２４のうちで反射型液晶パネル本体２４Ａを示している。
【００６６】
ここで、三角柱状支持部材２１に取り付けた各色光用の反射型液晶パネル２４に対して取り付け位置を調整する場合に、三角柱状支持部材２１に突出形成した左右一対の第４突出片２１ｍ，２１ｎに螺合した調整用ネジ２９，２９を緩めておく。
【００６７】
この際、三角柱状支持部材２１に突出形成した左右一対の第３突出片２１ｊ，２１ｋに螺合した調整用ネジ２８，２８で液晶パネル本体２４Ａの上部左右を同じ距離だけ下方に向かって押し込むと、上下一対の板バネ３０，３１の各平坦面３０ａ，３１ａの左右がＺ１，Ｚ２方向に略平行に弾性変位するので、反射型液晶パネル２４はＺ１，Ｚ２方向に略平行に移動する。
【００６８】
また、三角柱状支持部材２１に突出形成した左右一対の第３突出片２１ｊ，２１ｋに螺合した調整用ネジ２８，２８で反射型液晶パネル本体２４Ａの上部左右をそれぞれ異なる距離だけ下方に向かって押し込むと、上下一対の板バネ３０，３１の各平坦面３０ａ，３１ａの左右がＺ１，Ｚ２方向にそれぞれ異なる距離だけ弾性変位するので、反射型液晶パネル２４はＺＸ面内を回転する。
【００６９】
また、三角柱状支持部材２１に突出形成した左側の第４突出片２１ｍに螺合した調整用ネジ２９で反射型液晶パネル本体２４Ａの左側面を右方に向かって押と込むと、上下一対の板バネ３０，３１の各側面（３０ｂ，３１ｂ），（３０ｃ，３１ｃ）がＸ１方向に弾性変位するので、反射型液晶パネル２４はＸ１方向に移動する。
【００７０】
また、三角柱状支持部材２１に突出形成した右側の第４突出片２１ｎに螺合した調整用ネジ２９で反射型液晶パネル本体２４Ａの右側面を左方に向かって押と込むと、上下一対の板バネ３０，３１の各側面（３０ｂ，３１ｂ），（３０ｃ，３１ｃ）が上記Ｘ１方向とは逆にＸ２方向に弾性変位するので、反射型液晶パネル２４はＸ２方向に移動する。
【００７１】
上記により、３色合成クロスダイクロイックプリズム４１の各入射面４１ａ〜４１ｃ（図１，図２）に対して反射型液晶パネル２４を調整用ネジ２８及び調整用ネジ２９と上下一対の板バネ３０，３１とを介して二次元面内で取り付け位置調整することができ、調整後に各調整用ネジ２８及び調整用ネジ２９が緩まないようにネジロック剤で固定すれば良い。
【００７２】
そして、上記のように構成した各色光用の反射型液晶パネル組立体２０Ｒ，２０Ｇ，２０Ｂをベース台１１上に取り付けると、図９及び１０に示した状態となる。
【００７３】
この際、反射型液晶パネル２４から延出したフレキシブル配線基板２４Ｃは、上方に配設したプリント基板３６に接続されているが、このプリント基板３６は図１０に示したように各色光用の反射型液晶パネル組立体２０Ｒ，２０Ｇ，２０Ｂの近傍が切り欠かれているので何らの支障もなく、各色光用の反射型液晶パネル組立体２０Ｒ，２０Ｇ，２０Ｂに対して取り付け位置調整及びあおり角調整を容易に行うことができるようになっている。
【００７４】
ここで、各色光用の反射型液晶パネル組立体２０Ｒ，２０Ｇ，２０Ｂに対してレジストレーション調整を行う場合には、Ｒ光用反射型液晶パネル組立体２０Ｒ，Ｇ光用反射型液晶パネル組立体２０Ｇ，Ｂ光用反射型液晶パネル組立体２０Ｂのうちで例えばＧ光用反射型液晶パネル組立体２０Ｇをレジストレーション調整時の基準ユニットに設定している。
【００７５】
この理由を説明すると、カラー画像光を不図示のスクリーン上に投射した時に、Ｒ，Ｇ，Ｂの３原色の中でＧ光は最も解像度に影響を与える。また、Ｒ光はその次に解像度に影響を与え、Ｂ光は解像度に影響を与える割合が比較的少ない。従って、レジストレーション調整は相対的な変位調整であるので、最も解像度に影響するＧ光用反射型液晶パネル組立体２０Ｇ中で三角柱状支持部材２１の取り付け位置調整と反射型液晶パネル２４へのあおり角調整と反射型液晶パネル２４の取り付け位置調整とを３色合成クロスダイクロイックプリズム４１の入射面４１ｂに対して最初に行い、この後に、Ｇ光用反射型液晶パネル組立体２０Ｇからの変調画像光に合わせるようにＲ光用反射型液晶パネル組立体２０Ｒ，Ｂ光用反射型液晶パネル組立体２０Ｂに対して取り付け位置調整及びあおり角調整を行えば、各色光用の反射型液晶パネル２４からの各色の変調画像光を３色合成クロスダイクロイックプリズム４１で色合成した時にレジズレのないカラー画像光が得られる。
【００７６】
尚、基準となるＧ光用反射型液晶パネル組立体２０Ｇ中でＧ光用の反射型液晶パネル２４を三角柱状支持部材２１の垂直面に取り付け調整することなく予め位置決めして固定しておき、この後に、Ｇ光用の反射型液晶パネル２４からの変調画像光に合わせるようにＲ光用の反射型液晶パネル２４とＢ光用の反射型液晶パネル２４とに対して取り付け位置調整を行ってレジストレーション調整を行うようにすれば、Ｇ光用反射型液晶パネル組立体２０Ｇ中で三角柱状支持部材２１の垂直面２１ｃに取り付けたＧ光用の反射型液晶パネル２４への取り付け位置調整機構を省略することも可能である。
【００７７】
上記を言い換えると、各色光用の三角柱状支持部材２１のうちで少なくとも２色の色光用の三角柱状支持部材２１は、垂直面２１ｃに一対の板バネ３０，３１を介して反射型液晶パネル２４を取り付けると共に、一対の板バネ３０，３１を弾性変位させて反射型液晶パネル２４の取り付け位置を二次元面内で調整する位置調整手段２８，２９を垂直面２１ｃに備えれば良いことになる。
【実施例２】
【００７８】
図１１は本発明に係る実施例２の投射型表示装置の全体構成を示した斜視図、
図１２は本発明に係る実施例２の投射型表示装置において、ベース台を取り除いた状態で全体構成を示した平面図、
図１３は本発明に係る実施例２の投射型表示装置において、各色光用の反射型液晶パネル組立体を示した斜視図である。
【００７９】
図１１に示した本発明に係る実施例２の投射型表示装置１０Ｂは、先に説明した実施例１の投射型表示装置１０Ａの構成と一部を除いて同様の構成であり、ここでは説明の便宜上、先に示した構成部材に対しては同一の符号を付し、且つ、先に示した構成部材は必要に応じて適宜説明し、実施例１と異なる構成部材に新たな符号を付して説明する。
【００８０】
図１１に示した如く、本発明に係る実施例２の投射型表示装置１０Ｂも、Ｒ光，Ｇ光，Ｂ光にそれぞれ対応した空間光変調素子（以下、反射型液晶パネルと記す）２４として光を反射する反射型液晶パネルを用いて構成されており、二点鎖線で図示したベース台１１を挟んで上下に分かれた２層構成の光学系を有している。
【００８１】
まず、二点鎖線で図示したベース台１１の下面１１ａの下方に設けた照明光学系について説明すると、光源１２から出射した白色光が放物面鏡１３で反射されることにより、略々平行光となって放物面鏡１３の前面に設けた偏光変換プリズムアレイ１４Ｂに入射され、この偏光変換プリズムアレイ１４Ｂによって所定の一方向の偏光光として例えばＰ偏光光（第１偏光成分光）が得られている。この際、上記した偏光変換プリズムアレイ１４Ｂは、実施例１で用いた偏光変換プリズムアレイ１４Ａ（図１，図２）に対して偏光面を９０°回転させることにより実施例１と異なって例えばＰ偏光光が得られる。
【００８２】
この後、偏光変換プリズムアレイ１４Ｂを透過したＰ偏光光の白色光は、第１ダイクロイックミラー１５に入射して、例えばＲ光及びＧ光を透過させ、Ｂ光を反射している。
【００８３】
また、上記した第１ダイクロイックミラー１５を透過したＲ光及びＧ光は、そのまま直進して第２ダイクロイックミラー１６に入射する。この第２ダイクロイックミラー１６は、例えばＲ光を透過させ、Ｇ光を反射している。
【００８４】
また、上記した第２ダイクロイックミラー１６を透過したＲ光は、そのまま直進して４５°傾斜した立ち上げミラー１７に入射し、この立ち上げミラー１７によりＲ光の光路が上方に向かって９０°方向転換されて、ベース台１１の上方に設置されたＲ光用反射型液晶パネル組立体５０Ｒに入射する。
【００８５】
一方、第２ダイクロイックミラー１６により反射されたＧ光は、光路を９０°変換された後に４５°傾斜した立ち上げミラー１７に入射し、この立ち上げミラー１７によりＧ光の光路が上方に向かって９０°方向転換されて、ベース台１１の上方に設置されたＧ光用反射型液晶パネル組立体５０Ｇに入射する。
【００８６】
更に、第１ダイクロイックミラー１５により反射されたＢ光は、光路を９０°変換された後にミラー１８で更に光路を９０°変換されてリレーレンズ１９を透過して、４５°傾斜した立ち上げミラー１７（図示せず）に入射し、この立ち上げミラー１７（図示せず）によりＢ光の光路が上方に向かって９０°方向転換されて、ベース台１１の上方に設置されたＢ光用反射型液晶パネル組立体５０Ｂに入射する。
【００８７】
次に、二点鎖線で図示したベース台１１の上面１１ｂ上に設けた投射光学系について説明すると、Ｒ光用反射型液晶パネル組立体５０及びＧ光用反射型液晶パネル組立体５０Ｇ並びにＢ光用反射型液晶パネル組立体５０Ｂと、直方体形状に形成された色合成光学系となる３色合成クロスダイクロイックプリズム４１と、投射レンズ４２とで構成されている。
【００８８】
そして、３色合成クロスダイクロイックプリズム４１はベース台１１の上面１１ｂに接着剤を用いて固定され、且つ、３色合成クロスダイクロイックプリズム４１の各入射面４１ａ〜４１ｃに対向して各色光用の反射型液晶パネル組立体５０Ｒ，５０Ｇ，５０Ｂが近接配置されていると共に、３色合成クロスダイクロイックプリズム４１の出射面４１ｄ側に投射レンズ４２が配置され、ベース台１１を除いた平面状態は図１２に示した如くになる。
【００８９】
図１１に戻り、Ｒ光用反射型液晶パネル組立体５０Ｒ及びＧ光用反射型液晶パネル組立体５０Ｇ並びにＢ光用反射型液晶パネル組立体５０Ｂのそれぞれは全て同一に構成されており、二点鎖線で示したように内部を中空状に形成した第１三角柱状支持部材５１と、この第１三角柱状支持部材５１の上方に内部を中空状に形成した第２三角柱状支持部材５２とを、それぞれに４５°傾斜させた傾斜面同士を接合することにより四角柱状支持部材５３として形成され、この四角柱状支持部材５３（１箇所のみ図示）が各色ごとに用意されている。
【００９０】
そして、各色光用の四角柱状支持部材５３のうちで下方に設けた第１三角柱状支持部材５１では、ベース台１１上に取り付けられる底面に各色光照明手段からの各色の照明光がそれぞれ入射するフィルードレンズ２２が固着され、且つ、底面に対して４５°傾斜した４５°傾斜面にフィルードレンズ２２を透過した各色の照明光をそのまま透過させる透孔（図示せず）が貫通して穿設されている。
【００９１】
また、各色光用の四角柱状支持部材５３のうちで上方に設けた各色光用の第２三角柱状支持部材５２では、第１三角柱状支持部材５１の４５°傾斜面に接合される４５°傾斜した４５°傾斜面に偏光分離手段となる板状のワイヤグリッド偏光子２３が取り付けられ、且つ、各色光用のワイヤグリッド偏光子２３を透過した各色の照明光の光軸に対して直交する上面に各色光用の反射型液晶パネル２４が取り付けられ、且つ、各色光用の反射型液晶パネル２４からの各色の変調画像光がワイヤグリッド偏光子２３で反射された各色光の光軸に対して直交する垂直面に透明ガラス板又は光透過性偏光板などを用いた各色光用の光透過性光学板５４が取り付けられていると共に、第２三角柱状支持部材５２の上面，４５°傾斜面，垂直面で囲まれた空間を左右の側面で塵埃などに対して密閉させた状態で、各色光用の光透過性光学板５４側を３色合成クロスダイクロイックプリズム４１の各入射面４１ａ〜４１ｃに対してそれぞれ隙間を隔てて対向させている。
【００９２】
従って、各色光用のワイヤグリッド偏光子２３は、各色光用の反射型液晶パネル２４及び３色合成クロスダイクロイックプリズム４１の各入射面４１ａ〜４１ｃに対して４５°の傾斜角を持ってそれぞれ対向している。
【００９３】
この際、四角柱状支持部材５３中の第１三角柱状支持部材５１の底面に固着されたフィルードレンズ２２を透過した各色の照明光はＰ偏光光（第１偏光成分光）であり、この各色の照明光のＰ偏光光は、第２三角柱状支持部材５２の４５°傾斜面に取り付けられたワイヤグリッド偏光子２３をそのまま透過して第２三角柱状支持部材２１の上面に取り付けられた各色光用の反射型液晶パネル２４に入射して、各色光用の反射型液晶パネル２４を照明する共に、各色光用の反射型液晶パネル２４内で各色光の画像信号に応じて光変調された後に反射された光束はＳ偏光光（第２偏光成分光）となって出射され、この各色光のＳ偏光光がワイヤグリッド偏光子２３で反射されて各色光用の光透過性光学板５４を透過して３色合成クロスダイクロイックプリズム４１の入射面４１ａ〜４１ｃから入射される。
【００９４】
この後、３色合成クロスダイクロイックプリズム４１の各入射面４１ａ〜４１ｃから入射されたＲ光，Ｇ光，Ｂ光の各変調画像光は、３色合成クロスダイクロイックプリズム４１内に形成した第１，第２ダイクロイック膜４１ｅ，４１ｆによって色合成され、この色合成クロスダイクロイックプリズム４１で得られた色合成画像光が３色合成クロスダイクロイックプリズム４１の出射面４１ｄから出射されて投射レンズ４２で図示しないスクリーン上に投射しているので、これにより高輝度化、高コントラス化が達成でき、実施例２の投射型表示装置１０Ｂの品質及び信頼性の向上に寄与できる。
【００９５】
ここで、Ｒ光用反射型液晶パネル組立体５０Ｒ及びＧ光用反射型液晶パネル組立体５０Ｇ並びにＢ光用反射型液晶パネル組立体５０Ｂに対してレジストレーション調整を行う実施例２の構造形態について図１３を用いて説明する。
【００９６】
図１３に拡大して示した如く、各色光用の反射型液晶パネル組立体５０Ｒ，５０Ｇ，５０Ｂ（図１１，図１２）の基台となる各色光用の第１，第２三角柱状支持部材５１，５２は、アルミ材又は板金材を用いてそれぞれ直角三角柱状に一体的に形成されており、且つ、第１，第２三角柱状支持部材５１，５２のうちで４５°傾斜した各４５°傾斜面５１ｂ，５２ｂ同士を接合することで四角柱状支持部材５３が形成されている。
【００９７】
まず、上記した四角柱状支持部材５３のうちで下方に設けた第１三角柱状支持部材５１は、ベース台１１の上面１１ｂに取り付けられ、且つ、フィルードレンズ２２（図１１）を取り付けるための透孔５１ａ１が貫通して穿設された底面５１ａと、底面５１ａに対して４５°傾斜させてフィルードレンズ２２を通った各色光を透過させるための透孔（図示せず）が貫通して穿設された４５°傾斜面５１ｂと、底面５１ａに対して垂直な垂直面５１ｃと、左右の側面５１ｄ，（５１ｅ…図示せず）とに囲まれて直角三角柱状に一体的に形成されている。
【００９８】
また、第１三角柱状支持部材５１には、左右一対の第１突出片５１ｆ，５１ｇが底面５１ａと連接して左右の側面５１ｄ，（５１ｅ）の各外側に向かってベース台１１に対して平行に突出形成されており、これらの第１突出片５１ｆ，５１ｇに固定用ネジ２５，２５のネジ径より一回り大きな孔（図示せず）が貫通して穿設されているので、実施例１と同様に、左右一対の第１突出片５１ｆ，５１ｇのいずれかに治具用偏心ピン２６（図５）を押し当てれば、３色合成クロスダイクロイックプリズム４１の各入射面４１ａ〜４１ｃ（図１１，図１２）に対して第１三角柱状支持部材５１の取り付け位置をベース台１１上の水平面内で調整することができる。
【００９９】
また、第１三角柱状支持部材５１には、左右一対の第２突出片５１ｈ，５１ｉが底面５１ａと連接し、且つ、左右一対の第１突出片５１ｆ，５１ｇと間隔を隔てて左右の側面５１ｄ，（５１ｅ）の各外側に向かってベース台１１に対して平行に突出形成されており、これら左右一対の第２突出片５１ｈ，５１ｉに調整用ネジ２７，２７が螺合する各ネジ孔（図示せず）が貫通して穿設されていると共に、これらの調整用ネジ２７，２７の各先端はベース台１１の上面１１ｂに当接しているので、実施例１と同様に、上記した調整用ネジ２７を押し込むことにより第２三角柱状支持部材５２に取り付けた反射型液晶パネル２４（図１１）へのあおり角を調整することができる。
【０１００】
次に、上記した四角柱状支持部材５３のうちで上方に設けた第２三角柱状支持部材５２は、各色光用の反射型液晶パネル２４からの第２偏光成分の各色光が色合成クロスダイクロイックプリズム４１側に向くように４５°傾斜させた４５°傾斜面５２ｂに透孔５２ｂ１が貫通して穿設されており、この４５°傾斜面５２ｂにワイヤグリッド偏光子２３（図１１）が取り付けられた状態で４５°傾斜面５２ｂが第１三角柱状支持部材５１の４５°傾斜面５１ｂに接着されている。
【０１０１】
また、第２三角柱状支持部材５２の４５°傾斜面５２ｂと対向して上面５２ａと垂直面５２ｃとが直交していると共に、左右の側面５２ｄ，５２ｅは閉じられている。
【０１０２】
そして、第２三角柱状支持部材５２の上面５２ａには、上面５２ａと４５°傾斜面５１ｂとが交差する側に調整用ネジ２８，（２８…図示せず）が螺合した左右一対の第３突出片５２ｆ，（５２ｇ…図示せず）が上方に向かって突出形成され、且つ、左右の側面５２ｄ，５２ｅ側に調整用ネジ２９，（２９…図示せず）が螺合した左右一対の第４突出片５２ｈ，（５２ｉ…図示せず）が上方に向かって突出形成されている。
【０１０３】
更に、前後一対の板バネ３０，３１に固定用ネジ３５，３５により固着された反射型液晶パネル２４が左右一対の第４突出片５２ｈ，（５２ｉ…図示せず）に押さえ板３２，３３を介して複数の固定用ネジ３４により取り付けられているので、実施例１と同様に、調整用ネジ２８及び調整用ネジ２９を押し込むことにより前後一対の板バネ３０，３１が弾性変位して、３色合成クロスダイクロイックプリズム４１の各入射面４１ａ〜４１ｃ（図１１，図１２）に対して各色光用の反射型液晶パネル２４を二次元面内で取り付け位置調整できる。
【０１０４】
また、第２三角柱状支持部材５２の垂直面５２ｃには、透孔５２ｃ１が貫通して穿設されており、この垂直面５２ｃに各色光用の光透過性光学板５４（図１１）が取り付けられている。
【０１０５】
尚、上記した実施例２では、組立性を考慮して第１，第２三角柱状支持部材５１，５２を合わせて四角柱状支持部材５３を形成したが、四角柱状支持部材５３内にワイヤグリッド偏光子２３（図１１）を取り付けるために４５°傾斜した対角面を形成できれば第１，第２三角柱状支持部材５１，５２を別々に形成する必要はない。
【０１０６】
この場合に、四角柱状支持部材５３は、ベース台１１に取り付けられる底面（５１ａ相当）と、底面と対向し且つ各色光用の反射型液晶パネル２４が取り付けられる上面（５２ａ相当）と、底面と上面との間で各色光用の反射型液晶パネル２４からの第２偏光成分の各色光が３色合成クロスダイクロイックプリズム４１側に向くように底面（５１ａ相当）に対して４５°傾斜させて各色光用のワイヤグリッド偏光子２３が取り付けられる対角面（５２ｂ相当）と、底面（５１ａ相当）に対して垂設されて各色光用の光透過性光学板５４が３色合成クロスダイクロイックプリズム４１の各入射面４１ａ〜４１ｃに対向して取り付けられる垂直面（５２ｃ相当）とを、少なくとも有するように形成すれば良い。
【０１０７】
更に、四角柱状支持部材５３の底面（５１ａ相当）に、ベース台１１上での取り付け位置を調整する取り付け位置調整機構と、反射型液晶パネル２４へのあおり角を調整するあおり角調整機構とを設け、上面（５２ａ相当）に反射型液晶パネル２４を一対の板バネ３０，３１を介して二次元面内で取り付け位置を調整する取り付け位置調整機構を設ければ良いものである。
【０１０８】
また、この実施例２でも、各色光用の反射型液晶パネル組立体５０Ｒ，５０Ｇ，５０Ｂに対してレジストレーション調整を行う場合には、Ｒ光用反射型液晶パネル組立体５０Ｒ，Ｇ光用反射型液晶パネル組立体５０Ｇ，Ｂ光用反射型液晶パネル組立体５０Ｂのうちで例えばＧ光用反射型液晶パネル組立体５０Ｇをレジストレーション調整時の基準ユニットに設定し、基準となるＧ光用反射型液晶パネル組立体５０Ｇからの変調画像光に合わせるようにＲ光用反射型液晶パネル組立体５０Ｒ，Ｂ光用反射型液晶パネル組立体５０Ｂに対して取り付け位置調整及びあおり角調整を行ってレジストレーション調整を行えば、各色光用の反射型液晶パネル２４からの各色光を３色合成クロスダイクロイックプリズム４１で色合成した時にレジズレのないカラー画像光が得られる。
【０１０９】
上記を言い換えると、各色光用の四角柱状支持部材５３のうちで少なくとも２色の色光用の四角柱状支持部材５３は、上面（５２ａ相当）に一対の板バネ３０，３１を介して反射型液晶パネル２４を取り付けると共に、一対の板バネ３０，３１を弾性変位させて反射型液晶パネル２４の取り付け位置を二次元面内で調整する位置調整手段２８，２９を上面（５２ａ相当）２１ｃに備えれば良いことになる。
【図面の簡単な説明】
【０１１０】
【図１】本発明に係る実施例１の投射型表示装置の全体構成を示した斜視図である。
【図２】本発明に係る実施例１の投射型表示装置において、ベース台を取り除いた状態で全体構成を示した平面図である。
【図３】本発明に係る実施例１の投射型表示装置において、ベース台上に設置したＧ光用反射型液晶パネル組立体を示した斜視図である。
【図４】本発明に係る実施例１の投射型表示装置において、各色光用の三角柱状支持部材を示した斜視図である。
【図５】本発明に係る実施例１の投射型表示装置において、各色光用の三角柱状支持部材をベース台上で取り付け位置調整する状態を示した平面図である。
【図６】本発明に係る実施例１の投射型表示装置において、各色光用の三角柱状支持部材に取り付けた液晶パネルへのあおり角を調整する状態を示した側面図である。
【図７】本発明に係る実施例１の投射型表示装置において、各色光用の反射型液晶パネルを示した斜視図である。
【図８】本発明に係る実施例１の投射型表示装置において、各色光用の反射型液晶パネル組立体内の反射型液晶パネルを三角柱状支持部材内で取り付け位置調整する状態を示した正面図である。
【図９】本発明に係る実施例１の投射型表示装置において、各色光用の反射型液晶パネル組立体をベース台上に取り付けた状態を示した側面図である。
【図１０】本発明に係る実施例１の投射型表示装置において、Ｒ光用反射型液晶パネル組立体及びＧ光用反射型液晶パネル組立体並びにＢ光用反射型液晶パネル組立体をベース台上に取り付けた状態を示した平面図である。
【図１１】本発明に係る実施例２の投射型表示装置の全体構成を示した斜視図である。
【図１２】本発明に係る実施例２の投射型表示装置において、ベース台を取り除いた状態で全体構成を示した平面図である。
【図１３】本発明に係る実施例２の投射型表示装置において、各色光用の反射型液晶パネル組立体を示した斜視図である。
【符号の説明】
【０１１１】
１０Ａ，１０Ｂ…実施例１，２の投射型表示装置、
１１…ベース台、１２…光源、１３…放物面鏡、
１４Ａ，１４Ｂ…偏光変換プリズムアレイ、
１５…第１ダイクロイックミラー、１６…第２ダイクロイックミラー、
１７…立ち上げミラー、１８…ミラー、１９…リレーレンズ、
２０Ｒ…Ｒ光用反射型液晶パネル組立体、２０Ｇ…Ｇ光用反射型液晶パネル組立体、
２０Ｂ…Ｂ光用反射型液晶パネル組立体、
２１…三角柱状支持部材、２１ａ…底面、２１ｂ…４５°傾斜面（第２面）、
２１ｃ…垂直面（第１面）、２１ｄ，２１ｅ…左右の側面、
２１ｆ，２１ｇ…左右一対の第１突出片、２１ｈ，２１ｉ…左右一対の第２突出片、
２１ｊ，２１ｋ…左右一対の第３突出片、２１ｍ，２１ｎ…左右一対の第４突出片、
２２…フィルードレンズ、２３…ワイヤグリッド偏光子、
２４…反射型液晶パネル、２５…固定用ネジ、２６…治具用偏心ピン、
２７…調整用ネジ、２８…調整用ネジ、２９…調整用ネジ、
３０，３１…一対の板バネ、３２，３３…一対の押さえ板、
３４…固定用ネジ、３５…固定用ネジ、
４１…色合成光学系（３色合成クロスダイクロイックプリズム）、
４１ａ〜４１ｃ…入射面、４２…投射レンズ、
５０Ｒ…Ｒ光用反射型液晶パネル組立体、５０Ｇ…Ｇ光用反射型液晶パネル組立体、
５０Ｂ…Ｂ光用反射型液晶パネル組立体、
５１…第１三角柱状支持部材、５１ａ…底面、５１ｂ…４５°傾斜面、
５１ｆ，５１ｇ…左右一対の第１突出片、５１ｈ，５１ｉ…左右一対の第２突出片、
５２…第２三角柱状支持部材、５２ａ…上面（第１面）、
５２ｂ…４５°傾斜面（第２面）、５２ｃ…垂直面、
５２ｆ，５２ｇ…左右一対の第３突出片、５２ｈ，５２ｉ…左右一対の第４突出片、
５３…四角柱状支持部材、
５４…光透過性光学板。
【図１】
2007171683.tif 000003
【図２】
2007171683.tif 000004
【図３】
2007171683.tif 000005
【図４】
2007171683.tif 000006
【図５】
2007171683.tif 000007
【図６】
2007171683.tif 000008
【図７】
2007171683.tif 000009
【図８】
2007171683.tif 000010
【図９】
2007171683.tif 000011
【図１０】
2007171683.tif 000012
【図１１】
2007171683.tif 000013
【図１２】
2007171683.tif 000014
【図１３】
2007171683.tif 000015